(57)【要約】【課題】印刷を施してホログラム面から表出される視覚性を変化させることに着目し、従来よりも意匠効果を高めて優れた美観を呈するホログラム印刷物及びそれを用いた装身物を提供する。【解決手段】ホログラム層１０の上に印刷を施し、印刷インクの濃淡によってホログラム面から表出される視覚性を変化させる。ホログラム印刷物を、かばん類、袋物  被服、履物、帽子、手袋、ベルト等の装身物の外表面に、接着又は縫製により取り付ける。【選択図】図１
0003131943.tif 000002
【実用新案登録請求の範囲】
【請求項１】
ホログラム層の上に印刷を施し、印刷インクの濃淡によってホログラム面から表出される視覚性を変化させることを特徴とするホログラム印刷物。
【請求項２】
ホログラムシートからなるホログラム層の上にインクジェットフィルム又は透明シートからなりその表面に印刷を施した印刷層を形成し、その上にラミネートフィルムからなる保護層を形成することにより３層からなる積層体を形成し、印刷インクの濃淡によりホログラム面から表出される視覚性を変化させることを特徴とするホログラム印刷物。
【請求項３】
請求項１又は請求項２のいずれかに記載のホログラム印刷物を、かばん類、袋物  被服、履物、帽子、手袋、ベルト等の装身物の外表面に、接着又は縫製により取り付けたことを特徴とするホログラム印刷物を用いた装身物。
【考案の詳細な説明】
【技術分野】
【０００１】
本考案は、印刷を施してホログラム面から表出される視覚性を変化させることを特徴とするホログラム印刷物及びそれを用いた装身物（かばん類、袋物  被服、履物、帽子、手袋、ベルト等）に関するものである。
【背景技術】
【０００２】
ホログラムは物体から反射或いは透過してきた波動と参照波を重ね合わせて得られる干渉縞を記録したものであって、ホログラムでは従来には不可能であった立体的な模様や像を表すことができるため視覚的に優れたものを表現することができる。このホログラムを具体化するホログラムシートは、通常ポリエステルフィルム等の支持フィルムの表面に熱可塑性樹脂層を形成し、その表面に微細な凹凸を有するホログラム面を形成し、これを見る角度によって各図柄の色彩が変化するのみならず、各図柄の中にあっても輪郭線で仕切られた各部の色彩がそれぞれ異なるとともに、見る角度を次第に変化させるとグラデーション的に変化するものが一般に周知である。
【０００３】
図６は、従来のホログラムシートを取り付けた鞄の一例を示す説明図である。また、ホログラムシートを用いた先行技術としては、以下の発明が開示されている。
【０００４】
特開平７−１００００４号公報には、履物としての靴の外表面に、直接又は適宜の台座を介して間接に、ホログラムシートを熱圧着又は縫い付け固定して構成した「ホログラムシートを用いた夜光性装身物及び夜光性靴の製造方法」が開示されている（特許文献１）。
【０００５】
しかし、上記発明は、暗闇等の夜間を歩行している場合でも、後方から走行して来る車両のライトを反射して虹色等の多様性を有する反射光を発することにより、その者の存在を運転手等に認識させることができる装身物を提供するものである。即ち、車両等のライトに照射されたとき、ホログラムシートが七色等に反射して注意力を喚起させる、夜間の照明や日中の太陽により、ホログラムシートが七色に反射しファッション性に優れるなどの作用効果を奏するにしても、従来から周知のホログラムの特長を単に利用したものにすぎないといえる。
【０００６】
図５は、従来のホログラムシートの加工の一例を示す説明図である。文字やロゴマークなどをホログラムによって表現する場合、例えば、図５に示すようにホログラムシートから最初に「Ａ」の文字の形を切り取った後に対象物に個々に縫製や接着する必要があるため、ホログラムシートの加工に手間がかかるという問題があった。
【０００７】
【特許文献１】特開平７−１００００４号公報
【考案の開示】
【考案が解決しようとする課題】
【０００８】
そこで、本考案は、印刷を施してホログラム面から表出される視覚性を変化させることに着目し、従来よりも意匠効果を高めて優れた美観を呈するホログラム印刷物及びそれを用いた装身物（かばん類、袋物  被服、履物、帽子、手袋、ベルト等）を提供することを目的とし、更にはホログラムシートの加工や取り付けを簡素化することである。
【課題を解決するための手段】
【０００９】
上記課題を解決するために、請求項１に記載の考案は、ホログラム層の上に印刷を施し、印刷インクの濃淡によってホログラム面から表出される視覚性を変化させる構成を採用したのである。
【００１０】
また、請求項２に記載の考案は、ホログラムシートからなるホログラム層の上にインクジェットフィルム又は透明シートからなりその表面に印刷を施した印刷層を形成し、その上にラミネートフィルムからなる保護層を形成することにより３層からなる積層体を形成し、印刷インクの濃淡によりホログラム面から表出される視覚性を変化させる構成を採用したのである。
【００１１】
また、請求項３に記載の考案は、請求項１又は請求項２に記載のホログラム印刷物を、かばん類、袋物  被服、履物、帽子、手袋、ベルト等の装身物の外表面に、接着又は縫製により取り付けたことを特徴とする。
【考案の効果】
【００１２】
以上のように、本考案のホログラム印刷物によれば、ホログラム層の上に印刷を施すことにより、この印刷を通して視認されるホログラム面の視覚性を変化させ、即ち濃淡をつけた印刷インクによってホログラム面の表現に変化を加えるようにしたので、ホログラムと印刷の両方の視覚的効果が相俟って従来よりも意匠効果を高めて優れた美観を呈することができる。
また、濃色な印刷インクの遮蔽性を利用することにより、文字やロゴマークなどについてホログラム面を必要な部分のみ表出させることが簡単にできるため、ホログラムシートの加工や取り付けが簡素化できる。
【００１３】
また、本考案のホログラム印刷物を用いた装身物（かばん類、袋物  被服、履物、帽子、手袋、ベルト等）によれば、ホログラムと印刷の両方の視覚的効果が相俟って従来には存在しなかった優れた美観を呈する装身物を提供することができ、ファッション性や商品価値を向上させることが可能になる。
【考案を実施するための最良の形態】
【００１４】
以下、本考案の実施の一形態について、図１乃至図４に基づいて説明する。
【００１５】
図１は、本考案のホログラム印刷物の第１実施例を示す説明図である。
図１に示すように、ホログラム印刷物を構成するホログラム層１０のホログラム面には、任意の図柄について印刷インクによって直接印刷が施されており、その上にラミネートフィルムからなる保護層１１を形成しておくことが好ましい。ホログラム層１０は、その材質も作製方法も特に限定するものではなく、市販されているホログラムシートを用いることができ、その表面に形成されたホログラム面に通常の印刷方式により印刷を施すようにすることにより、ホログラム印刷物の製造が容易になる。このホログラム印刷物は装身物（かばん類、袋物  被服、履物、帽子、手袋、ベルト等）の外表面（基材Ａ）に接着又は縫製により取り付けられる。
このように形成されたホログラム印刷物は、濃淡をつけた印刷インクによってホログラム面の表現に変化を加え、ホログラムと印刷の両方の視覚的効果が相俟って従来よりも意匠効果を高めて優れた美観を呈することができる。
【００１６】
図３は、本考案のホログラム印刷物の加工の一例を示す説明図である。
図３に示すように、ホログラム面を「Ａ」「Ｂ」「Ｃ」の各文字部分のみ表出させるために、図１に示すホログラム層１０のホログラム面に「Ａ」「Ｂ」「Ｃ」の各文字に相当する部分以外の領域に濃色な印刷インクによって直接印刷が施される。これにより、濃色な印刷インクがホログラム面を遮蔽するため、従来のようにホログラムシートから「Ａ」「Ｂ」「Ｃ」の各文字の形を切り取った後に対象物に個々に縫製や接着する加工の手間を省くことができる。
【００１７】
図４は、本考案のホログラム印刷物を取り付けた鞄の一例を示す説明図である。
従来のホログラムシートを取り付けた鞄の一例とは美観が大きく異なり、図１に示すホログラム層１０に直接印刷された任意の図柄によって、ホログラムと印刷の両方の視覚的効果が相俟って従来には存在しなかった優れた美観を呈する装身物を提供することができ、ファッション性や商品価値を向上させることが可能になる。また、ホログラム印刷物を取り付ける対象物としては、かばん類、袋物  被服、履物、帽子、手袋、ベルト等の装身物が適している。
【００１８】
図２は、本考案のホログラム印刷物の第２実施例を示す説明図である。
図２に示すように、ホログラム印刷物を構成するホログラムシートからなるホログラム層２０の上にインクジェットフィルム又は透明シートからなりその表面に印刷を施した印刷層２１が積層され、その上にラミネートフィルムからなる保護層２２が積層され、３層構造からなる積層体が形成されている。ホログラム層２０は、第１実施例と同様に、その材質も作製方法も特に限定するものではなく、市販されているホログラムシートを用いることができる。一方、本実施例では、ホログラム面に直接印刷を施すのではなくインクジェットフィルム又は透明シートの表面にインクジェット印刷その他の印刷方式により印刷を施すようにした点が第１実施例と異なる。このホログラム印刷物は装身物（かばん類、袋物  被服、履物、帽子、手袋、ベルト等）の外表面（基材Ａ）に接着又は縫製により取り付けられる。
このように形成されたホログラム印刷物は、第１実施例と同様に、濃淡をつけた印刷インクによってホログラム面の表現に変化を加え、ホログラムと印刷の両方の視覚的効果が相俟って従来よりも意匠効果を高めて優れた美観を呈することができる。
【００１９】
図３は、本考案のホログラム印刷物の加工の一例を示す説明図である。
図３に示すように、ホログラム面を「Ａ」「Ｂ」「Ｃ」の各文字部分のみ表出させるために、図２に示す印刷層２１の表面に「Ａ」「Ｂ」「Ｃ」の各文字に相当する部分以外の領域に濃色な印刷インクによって印刷が施される。これにより、第１実施例と同様に、濃色な印刷インクがホログラム面を遮蔽するため、従来のようにホログラムシートから「Ａ」「Ｂ」「Ｃ」の各文字の形を切り取った後に対象物に個々に縫製や接着する加工の手間を省くことができる。
【００２０】
図４は、本考案のホログラム印刷物を取り付けた鞄の一例を示す説明図である。
従来のホログラムシートを取り付けた鞄の一例とは美観が大きく異なり、図２に示す印刷層２１に印刷された任意の図柄によって、第１実施例と同様に、ホログラムと印刷の両方の視覚的効果が相俟って従来には存在しなかった優れた美観を呈する装身物を提供することができ、ファッション性や商品価値を向上させることが可能になる。また、ホログラム印刷物を取り付ける対象物としては、かばん類、袋物  被服、履物、帽子、手袋、ベルト等の装身物が適している。
【図面の簡単な説明】
【００２１】
【図１】本考案のホログラム印刷物の第１実施例を示す説明図である。
【図２】本考案のホログラム印刷物の第２実施例を示す説明図である。
【図３】本考案のホログラム印刷物の加工の一例を示す説明図である。
【図４】本考案のホログラム印刷物を取り付けた鞄の一例を示す説明図である。
【図５】従来のホログラムシートの加工の一例を示す説明図である。
【図６】従来のホログラムシートを取り付けた鞄の一例を示す説明図である。
【符号の説明】
【００２２】
Ａ  基材
１０  印刷を施したホログラム層
１１  保護層
２０  ホログラム層
２１  印刷層
２２  保護層
【図１】
0003131943.tif 000003
【図２】
0003131943.tif 000004
【図３】
0003131943.tif 000005
【図４】
0003131943.tif 000006
【図５】
0003131943.tif 000007
【図６】
0003131943.tif 000008
【手続補正書】
【提出日】平成19年3月9日(2007.3.9)
【手続補正１】
【補正対象書類名】実用新案登録請求の範囲
【補正対象項目名】請求項１
【補正方法】変更
【補正の内容】
【請求項１】
ホログラムシートからなるホログラム層の上に印刷インクによって直接印刷を施し、印刷インクの濃淡によってホログラム面から表出される視覚性を変化させることを特徴とするホログラム印刷物。
【手続補正２】
【補正対象書類名】明細書
【補正対象項目名】０００９
【補正方法】変更
【補正の内容】
【０００９】
上記課題を解決するために、請求項１に記載の考案は、ホログラムシートからなるホログラム層の上に印刷インクによって直接印刷を施し、印刷インクの濃淡によってホログラム面から表出される視覚性を変化させる構成を採用したのである。